(57)【要約】【課題】冷房・暖房能力試験時に測定時間を短縮する空気調和機を提供。【解決手段】圧縮機２、冷媒の循環方向を切り換える四方弁３、室外熱交換器４、前記冷媒の流量を制御する膨張弁５、レシーバ８および室内熱交換器６により冷媒の循環経路が構成され、圧縮機２の冷媒流出側に設けられる吐出温度検出手段９、室外熱交換器４の所定位置に設けられる室外熱交温度検出手段１１、室内熱交換器６の所定位置に設けられる室内熱交温度検出手段１３、室内熱交換器６の風上側の所定位置に設けられる室内吸込温度検出手段１４とを有する空気調和機１において、室内外空気温度が性能測定温度の許容差の範囲内に入った後、リモ−トコントロ−ラ１７または空気調和機１のある操作ボタンを押すと、圧縮機２の運転周波数が固定され、膨張弁５の開度および室外ファン１０の回転数の変更のみとなり、測定時間が短縮される。【選択図】図２
2006112696.tif 000002
【特許請求の範囲】
【請求項１】
圧縮機、冷媒の循環方向を切り換える四方弁、室外熱交換器、前記冷媒の流量を制御する膨張弁、レシーバおよび室内熱交換器により冷媒の循環経路が構成され、少なくとも前記圧縮機の冷媒流出側に設けられる吐出温度検出手段、前記室外熱交換器の所定位置に設けられる室外熱交温度検出手段、前記室内熱交換器の所定位置に設けられる室内熱交温度検出手段、前記室内熱交換器風上側の所定位置に設けられる室内吸込温度検出手段とを有する空気調和機において、前記空気調和機運転後の室内外空気温度が所定許容差の範囲内に入った後、リモ−トコントロ−ラまたは前記空気調和機の所定の操作ボタンを押すと、前記圧縮機の運転周波数が固定されることを特徴とする空気調和機。
【請求項２】
空気調和機運転後の室内外空気温度が所定許容差の範囲内に入った後、リモ−トコントロ−ラまたは前記空気調和機の所定の操作ボタンを押すと、膨張弁の開度が固定されることを特徴とする空気調和機。
【請求項３】
空気調和機運転後の室内外空気温度が所定許容差の範囲内に入った後、リモ−トコントロ−ラまたは前記空気調和機の所定の操作ボタンを押すと、室外熱交換器を通過する空気流を発生させる室外ファンの回転数が固定されることを特徴とする、請求項１〜２のいすれかに記載の空気調和機。
【請求項４】
空気調和機運転後の室内外空気温度が所定許容差の範囲内に入った後、リモ−トコントロ−ラまたは前記空気調和機の所定の操作ボタンを押してから所定時間が経過すると、圧縮機の運転周波数、膨張弁の開度、室外ファンの回転数が固定されることを特徴とする、請求項１〜３のいずれかに記載の空気調和機。
【発明の詳細な説明】
【技術分野】
【０００１】
本発明は、冷房・暖房能力試験時に能力測定時間の短縮を備えた空気調和機に関するものである。
【背景技術】
【０００２】
従来の空気調和機は、室外熱交換器風上側の所定位置に設けられる室外吸込温度検出手段も有していた（例えば、特許文献１参照）。
【０００３】
図６は、特許文献１に記載された従来の空気調和機の一例を示す冷凍サイクル図である。
【０００４】
図６に示すように、１は空気調和機本体で、圧縮機２、冷媒の循環方向を切り換える四方弁３、室外熱交換器４、前記冷媒の流量を制御する膨張弁５、冷媒配管７および室内熱交換器６等で構成され、室内機１６と室外機１９に分かれている。
【０００５】
１０は室外熱交換器４を通過する空気流を発生させる室外ファン、１２は室内熱交換器６を通過する空気流を発生させる室内ファンである。また、９は圧縮機２の冷媒流出側に設けられる吐出温度検出手段、１１は室外熱交換器４の所定位置に設けられる室外熱交温度検出手段、２０は室外熱交換器４の風上側の所定位置に設けられる室外吸込温度検出手段、１３は室内熱交換器６の所定位置に設けられる室内熱交温度検出手段、１４は室内熱交換器６の風上側の所定位置に設けられる室内吸込温度検出手段である。
【０００６】
１５はリモ−トコントロ−ラ１７の信号を受信する室内制御器、１８は室内制御器１５と通信を行う室外制御器である。
【０００７】
図７は、従来の空気調和機を動作させる場合の制御手順を示すフロ−チャ−トであり、Ｓ１０１〜Ｓ１０６は各動作ステップを示す。まず、当該空気調和機を動作させると、通常運転が行われる（Ｓ１０１）。
【０００８】
そして、Ｓ１０２において性能測定時の室内外空調の温度判定が行われ、室内外空気温度が性能測定温度の許容差の範囲外と判断された場合、Ｓ１０３において、運転周波数、膨張弁開度および室外ファン回転数の変更が行われ、上記Ｓ１０１の通常運転モードになる。
【０００９】
他方、上記Ｓ１０２において、室内外空気温度が性能測定温度の許容差の範囲内と判断された場合、運転周波数、膨張弁開度および室外ファン回転数が固定される（Ｓ１０４）。
【００１０】
そして、Ｓ１０５において、吐出温度判定が行われ、目標吐出温度に到達していない場合は上記Ｓ１０３に戻る。
【００１１】
他方、上記Ｓ１０５において、目標吐出温度に到達している場合は、Ｓ１０６において、性能測定が行われる。
【特許文献１】特開２００２−３３３２１８号公報
【発明の開示】
【発明が解決しようとする課題】
【００１２】
しかしながら、前記従来の構成では、目標吐出温度に到達するまで、運転周波数、膨張弁開度および室外ファン回転数が繰り返し変更されるため、冷房・暖房能力試験時に能力測定時間がかかるという課題を有していた。
【００１３】
本発明は、前記従来の課題を解決するもので、制御方法を改善することにより、冷房・暖房能力試験時に能力測定時間の短縮を図る空気調和機を提供することを目的とする。
【課題を解決するための手段】
【００１４】
前記従来の課題を解決するために、本発明の空気調和機は、本体運転後の室内外空気温度が性能測定温度の許容差の範囲内に入った後、リモ−トコントロ−ラまたは空気調和機本体のある操作ボタンを押すと、圧縮機の運転周波数が固定されることを特徴とする。これによって、膨張弁開度および室外ファン回転数の変更のみとなり、目標吐出温度に到達するまでの時間が短縮される。
【００１５】
また本発明の空気調和機は、本体運転後の室内外空気温度が性能測定温度の許容差の範囲内に入った後、リモ−トコントロ−ラまたは空気調和機本体のある操作ボタンを押すと、膨張弁開度が固定されることを特徴とする。
【００１６】
これによって、圧縮機の運転周波数および室外ファン回転数の変更のみとなり、目標吐出温度に到達するまでの時間が短縮される。
【００１７】
また本発明の空気調和機は、本体運転後の室内外空気温度が性能測定温度の許容差の範囲内に入った後、リモ−トコントロ−ラまたは空気調和機本体のある操作ボタンを押すと、室外ファン回転数と運転周波数が固定、あるいは室外ファン回転数と膨張弁開度が固定されることを特徴とする。
【００１８】
これによって、室外ファン回転数と運転周波数が固定の場合は膨張弁開度のみの変更、室外ファン回転数と膨張弁開度が固定の場合は運転周波数のみの変更となり、目標吐出温度に到達するまでの時間が短縮される。
【００１９】
また本発明の空気調和機は、本体運転後の室内外空気温度が性能測定温度の許容差の範囲内に入った後、リモ−トコントロ−ラまたは空気調和機本体のある操作ボタンを押してからある一定時間が経過すると、制御パラメ−タ（圧縮機の運転周波数、膨張弁の開度、室外ファンの回転数）が固定されることを特徴とする。
【００２０】
これによって、目標吐出温度に到達するまでの時間が短縮される。
【発明の効果】
【００２１】
本発明の空気調和機は、性能測定時間および性能試験費用を削減することができる。
【発明を実施するための最良の形態】
【００２２】
第１の発明は、本体運転後の室内外空気温度が性能測定温度の許容差の範囲内に入った後、リモ−トコントロ−ラまたは空気調和機本体のある操作ボタンを押すと、圧縮機の運転周波数が固定されることにより、膨張弁開度および室外ファン回転数の変更のみとなり、目標吐出温度に到達するまでの時間が短縮され、性能測定時間の短縮を図ることができる。
【００２３】
第２の発明は、本体運転後の室内外空気温度が性能測定温度の許容差の範囲内に入った後、リモ−トコントロ−ラまたは空気調和機本体のある操作ボタンを押すと、膨張弁開度が固定されることにり、圧縮機の運転周波数および室外ファン回転数の変更のみとなり、
目標吐出温度に到達するまでの時間が短縮され、性能測定時間の短縮を図ることができる。
【００２４】
第３の発明は、本体運転後の室内外空気温度が性能測定温度の許容差の範囲内に入った後、リモ−トコントロ−ラまたは空気調和機本体のある操作ボタンを押すと、室外ファン回転数と運転周波数が固定、あるいは室外ファン回転数と膨張弁開度が固定されることにより、室外ファン回転数と運転周波数が固定の場合は膨張弁開度のみの変更、室外ファン回転数と膨張弁開度が固定の場合は運転周波数のみの変更となり、目標吐出温度に到達するまでの時間が短縮され、性能測定時間の短縮を図ることができる。
【００２５】
第４の発明は、本体運転後の室内外空気温度が性能測定温度の許容差の範囲内に入った後、リモ−トコントロ−ラまたは空気調和機本体のある操作ボタンを押してからある一定時間が経過すると、制御パラメ−タ（圧縮機の運転周波数、膨張弁の開度、室外ファンの回転数）が固定されることにより、目標吐出温度に到達するまでの時間が短縮され、性能測定時間の短縮を図ることができる。
【００２６】
以下、本発明の実施の形態について、図面を参照しながら説明する。なお、この実施の形態によって本発明が限定されるものではない。
【００２７】
（実施の形態１）
図１は、本発明の第１〜４の実施の形態における空気調和機の冷凍サイクル図である。
【００２８】
図１において、符号１〜１９は従来の空気調和機と全く同一のものであり、その説明は省略する。図２は、本発明の実施の形態１における空気調和機を動作させる場合の制御手順を示すフロ−チャ−トであり、Ｓ１〜Ｓ８は各動作ステップを示す。
【００２９】
図２において、まず、当該空気調和機１を動作させると、通常運転が行われる（Ｓ１）。そして、Ｓ２において性能測定時の室内外空調の温度判定が行われ、室内外空気温度が性能測定温度の許容差の範囲外と判断された場合、Ｓ３において、圧縮機２の運転周波数、膨張弁５の開度および室外ファン１０の回転数の変更が行われ、上記Ｓ１の通常運転モードになる。
【００３０】
他方、上記Ｓ２において、室内外空気温度が性能測定温度の許容差の範囲内と判断された場合、Ｓ４において、リモ−トコントロ−ラ１７または本体１のある操作ボタンを押すと、圧縮機２の運転周波数が固定され、膨張弁５の開度および室外ファン１０の回転数が変更される（Ｓ５）。
【００３１】
そして、Ｓ６において、吐出温度判定が行われ、目標吐出温度に到達していない場合は上記Ｓ５に戻る。
【００３２】
他方、上記Ｓ６において、目標吐出温度に到達している場合は、Ｓ７において、膨張弁５の開度および室外ファン１０の回転数が固定される。そして、Ｓ８において、性能測定が行われる。
【００３３】
以上のように、本実施の形態においては、本体１運転後の室内外空気温度が性能測定温度の許容差の範囲内に入った後、リモ−トコントロ−ラ１７または本体１のある操作ボタンを押すと、圧縮機２の運転周波数が固定されることにより、膨張弁５の開度および室外ファン１０の回転数の変更のみとなり、目標吐出温度に到達するまでの時間が短縮され、性能測定時間の短縮を図ることができる。
【００３４】
（実施の形態２）
図３は、本発明の実施の形態２における空気調和機を動作させる場合の制御手順を示すフロ−チャ−トであり、Ｓ１１〜Ｓ１８は各動作ステップを示す。
【００３５】
図３において、まず、当該空気調和機１を動作させると、通常運転が行われる（Ｓ１１）。
【００３６】
そして、Ｓ１２において性能測定時の室内外空調の温度判定が行われ、室内外空気温度が性能測定温度の許容差の範囲外と判断された場合、Ｓ１３において、圧縮機２の運転周波数、膨張弁５の開度および室外ファン１０の回転数の変更が行われ、上記Ｓ１１の通常運転モードになる。
【００３７】
他方、上記Ｓ１２において、室内外空気温度が性能測定温度の許容差の範囲内と判断された場合、Ｓ１４において、リモ−トコントロ−ラ１７または本体１のある操作ボタンを押すと、膨張弁５の開度が固定され、圧縮機２の運転周波数および室外ファン１０の回転数が変更される（Ｓ１５）。
【００３８】
そして、Ｓ１６において、吐出温度判定が行われ、目標吐出温度に到達していない場合は上記Ｓ１５に戻る。
【００３９】
他方、上記Ｓ１６において、目標吐出温度に到達している場合は、Ｓ１７において、圧縮機２の運転周波数および室外ファン１０の回転数が固定される。
【００４０】
そして、Ｓ１８において、性能測定が行われる。
【００４１】
以上のように、本実施の形態においては、本体１運転後の室内外空気温度が性能測定温度の許容差の範囲内に入った後、リモ−トコントロ−ラ１７または本体１のある操作ボタンを押すと、膨張弁５の開度が固定されることにより、圧縮機２の運転周波数および室外ファン１０の回転数の変更のみとなり、目標吐出温度に到達するまでの時間が短縮され、性能測定時間の短縮を図ることができる。
【００４２】
（実施の形態３）
図４は、本発明の実施の形態３における空気調和機を動作させる場合の制御手順を示すフロ−チャ−トであり、Ｓ２１〜Ｓ２８は各動作ステップを示す。
【００４３】
図４において、まず、当該空気調和機１を動作させると、通常運転が行われる（Ｓ２１）。
【００４４】
そして、Ｓ２２において性能測定時の室内外空調の温度判定が行われ、室内外空気温度が性能測定温度の許容差の範囲外と判断された場合、Ｓ２３において、圧縮機２の運転周波数、膨張弁５の開度および室外ファン１０の回転数の変更が行われ、上記Ｓ２１の通常運転モードになる。
【００４５】
他方、上記Ｓ２２において、室内外空気温度が性能測定温度の許容差の範囲内と判断された場合、Ｓ２４において、リモ−トコントロ−ラ１７または本体１のある操作ボタンを押すと、室外ファン１０の回転数と圧縮機２の運転周波数が固定され、膨張弁５の開度のみの変更となり（Ｓ２５ａ）、あるいは室外ファン１０の回転数および膨張弁５の開度が固定され、圧縮機２の運転周波数のみ変更となる（Ｓ２５ｂ）。
【００４６】
そして、Ｓ２６において、吐出温度判定が行われ、目標吐出温度に到達していない場合
は上記Ｓ２５ａまたはＳ２５ｂに戻る。
【００４７】
他方、上記Ｓ２５ａにおいて、目標吐出温度に到達している場合は、Ｓ２７において、膨張弁５の開度が固定される。
【００４８】
また、上記Ｓ２５ｂにおいて、目標吐出温度に到達している場合は、Ｓ２７において、圧縮機２の運転周波数が固定される。
【００４９】
そして、Ｓ２８において、性能測定が行われる。
【００５０】
以上のように、本実施の形態においては、本体１運転後の室内外空気温度が性能測定温度の許容差の範囲内に入った後、リモ−トコントロ−ラ１７または本体１のある操作ボタンを押すと、室外ファン１０の回転数と圧縮機２の運転周波数が固定、あるいは室外ファン１０の回転数と膨張弁５の開度が固定されることにより、室外ファン１０の回転数と圧縮機２の運転周波数が固定の場合は膨張弁５の開度のみの変更、室外ファン１０の回転数と膨張弁５の開度が固定の場合は圧縮機２の運転周波数のみの変更となり、目標吐出温度に到達するまでの時間が短縮され、性能測定時間の短縮を図ることができる。
【００５１】
（実施の形態４）
図５は、本発明の実施の形態４における空気調和機を動作させる場合の制御手順を示すフロ−チャ−トであり、Ｓ３１〜Ｓ３５は各動作ステップを示す。
【００５２】
図５において、まず、当該空気調和機１を動作させると、通常運転が行われる（Ｓ３１）。そして、Ｓ３２において性能測定時の室内外空調の温度判定が行われ、室内外空気温度が性能測定温度の許容差の範囲外と判断された場合、Ｓ３３において、圧縮機２の運転周波数、膨張弁５の開度および室外ファン１０の回転数の変更が行われ、上記Ｓ３１の通常運転モードになる。
【００５３】
他方、上記Ｓ３２において、室内外空気温度が性能測定温度の許容差の範囲内と判断された場合、Ｓ３４において、リモ−トコントロ−ラ１７または本体１のある操作ボタンを押してから、Ｓ５において、ある一定時間が経過すると、図２のＡ点以降の動作ステップ、図３のＢ点以降の動作ステップ、図４のＣ点以降の動作ステップ、図４のＤ点以降の動作ステップとなり、制御パラメ−タ（圧縮機の運転周波数、膨張弁の開度、室外ファンの回転数）が固定されることにより、目標吐出温度に到達するまでの時間が短縮され、性能測定時間の短縮を図ることができる。
【産業上の利用可能性】
【００５４】
以上のように、本発明にかかる空気調和機は、冷房・暖房能力試験時に能力測定時間を短縮することが可能となるので、セパレ−ト式空気調和機で、特にインバ−タ機、一定速機等の用途にも適用できる。
【図面の簡単な説明】
【００５５】
【図１】本発明の実施の形態１〜４における空気調和機の冷凍サイクル図
【図２】本発明の実施の形態１における空気調和機を動作させる場合の制御手順を示すフロ−チャ−ト
【図３】本発明の実施の形態２における空気調和機を動作させる場合の制御手順を示すフロ−チャ−ト
【図４】本発明の実施の形態３における空気調和機を動作させる場合の制御手順を示すフロ−チャ−ト
【図５】本発明の実施の形態４における空気調和機を動作させる場合の制御手順を示すフロ−チャ−ト
【図６】従来の空気調和機の冷凍サイクル図
【図７】従来の空気調和機を動作させる場合の制御手順を示すフロ−チャ−ト
【符号の説明】
【００５６】
１  空気調和機（本体）
２  圧縮機
３  四方弁
４  室外熱交換器
５  膨張弁
６  室内熱交換器
７  冷媒配管
８  レシーバ
９  吐出温度センサ
１０  室外ファン
１１  室外熱交温度センサ
１２  室内ファン
１３  室内熱交温度センサ
１４  室内吸込温度センサ
１５  室内制御器
１６  室内機
１７  リモ−トコントロ−ラ
１８  室外制御器
１９  室外機
２０  室外吸込温度センサ
【図１】
2006112696.tif 000003
【図２】
2006112696.tif 000004
【図３】
2006112696.tif 000005
【図４】
2006112696.tif 000006
【図５】
2006112696.tif 000007
【図６】
2006112696.tif 000008
【図７】
2006112696.tif 000009